(57)【要約】【課題】傾斜天板の高さを小さく抑えることで、執務しやすい高さにすることが可能となる。【解決手段】上面が作業面とされ、後側の高さを変えたときの傾斜角度を調整可能とする平板状の傾斜天板２０を備え、傾斜天板２０の後端２０ｂ側に後端２０ｂの延在方向に沿う軸回りに回転可能に支持され、後端２０ｂから後方に向けて突出するとともに先端側にアーム係止部４３が設けられた支持アーム４０と、アーム係止部４３を前後方向Ｘ１に位置変更可能に支持する角度調整部３０と、を備え、角度調整部３０には、前後方向Ｘ１に延びる案内溝３２が設けられ、案内溝３２の前後方向Ｘ１に間隔をあけて配置され下方に凹む複数の係止凹部３３が形成され、アーム係止部４３が複数の係止凹部３３に選択的に係止されることにより、傾斜天板２０の傾斜姿勢が変更される構成の傾斜装置を提供する。【選択図】図５
2019080608.tif 000002
【特許請求の範囲】
【請求項１】
上面が作業面とされ、後側の高さを変えたときの傾斜角度を調整可能とする平板状の傾斜天板を備えた傾斜装置であって、
前記傾斜天板の後端側に該後端の延在方向に沿う軸回りに回転可能に支持され、前記後端から後方に向けて突出するとともに先端側に係止部が設けられた支持アームと、
前記係止部を前後方向に位置変更可能に支持する支持手段と、
を備え、
前記支持手段は、前記傾斜天板よりも後方に配設されていることを特徴とする傾斜装置。
【請求項２】
前記支持手段には、前記係止部を前後方向に案内する案内溝が設けられ、
前記案内溝の前後方向に間隔をあけて配置され前記案内溝から凹む複数の係止凹部が形成され、
前記支持アームの前記係止部が前記複数の係止凹部に選択的に係止されることにより、前記傾斜天板の傾斜姿勢が変更されることを特徴とする請求項１に記載の傾斜装置。
【請求項３】
前記案内溝は、後方から前方に向かうに従い漸次、上側となるように段階的に又は滑らかに曲がっていることを特徴とする請求項２に記載の傾斜装置。
【請求項４】
前記案内溝の上方には、少なくとも前記支持アームを覆う閉塞板が設けられていることを特徴とする請求項２又は３に記載の傾斜装置。
【請求項５】
前記支持アームは、前記支持手段に前記係止部を係止させた位置において、前記閉塞板に干渉しない形状であることを特徴とする請求項４に記載の傾斜装置。
【請求項６】
前記支持アームは、前記係止部が前記支持手段の後方に係止した状態で、下向きに突となるように屈曲又は湾曲していることを特徴とする請求項１乃至５のいずれか１項に記載の傾斜装置。
【請求項７】
前記傾斜天板の内部には、前記傾斜天板の作業面を照射するバックライトが設けられていることを特徴とする請求項１乃至６のいずれか１項に記載の傾斜装置。
【請求項８】
請求項１乃至７のいずれか１項に記載の傾斜装置が支持構造体によって支持された平板状のデスク天板に載置された構成の傾斜装置を備え、
前記支持手段は、前記デスク天板上において前記傾斜天板よりも後方に配設されていることを特徴とする傾斜装置を備えたデスク装置。
【発明の詳細な説明】
【技術分野】
【０００１】
本発明は、傾斜装置及び傾斜装置を備えたデスク装置に関する。
【背景技術】
【０００２】
従来、オフィスや公共施設等の執務空間に設置して使用されるデスク装置では、執務における効率を向上させるために、執務者が所望する条件に応じて例えば天板の高さや天板の傾斜角度等を調整することが可能なものが採用されている。
このような天板の傾斜角度を調整可能としたデスク装置としては、天板と支持構造体との間の空間部内に角度調整機構が配設され、この角度調整機構を介して天板の支持構造体に対する傾斜角度を調整可能とする方法が例えば特許文献１〜４に提案されている。これらの構造によれば、執務者がそれぞれの所望の傾斜角度に天板を調整することが可能となり、執務効率を向上させることができる。
【先行技術文献】
【特許文献】
【０００３】
【特許文献１】実開平０６−０８６５７３号公報
【特許文献２】実公平０５−０３５７０６号公報
【特許文献３】特開平０５−１５４０１９号公報
【特許文献４】特公平０５−０３７０４２号公報
【発明の概要】
【発明が解決しようとする課題】
【０００４】
しかしながら、上述した特許文献１〜４に記載されるような従来のデスク装置では、以下のような問題があった。
すなわち、従来のデスク装置では、天板と支持構造体との間の位置に、天板の傾斜角度を調整するための角度調整機構が組み込まれている。そのため、支持構造体を一般的なデスクとした場合には、デスク天板上に角度調整機構や傾斜天板を載置する構造となり、実際の作業面となる傾斜天板の高さが大きくなり、執務者が作業しにくい高さになってしまうという問題があった。
しかも、写真のネガやセル画等を確認しやすくするため傾斜天板にバックライトを内蔵させる場合には、傾斜天板の厚みがさらに大きくなってしまうことから、その点で改善の余地があった。
【０００５】
本発明は、上述する問題点に鑑みてなされたもので、傾斜天板の高さを小さく抑えることで、執務しやすい高さにすることが可能な傾斜装置及び傾斜装置を備えたデスク装置を提供することを目的とする。
【課題を解決するための手段】
【０００６】
上記目的を達成するため、本発明に係る傾斜装置は、上面が作業面とされ、後側の高さを変えたときの傾斜角度を調整可能とする平板状の傾斜天板を備えた傾斜装置であって、前記傾斜天板の後端側に該後端の延在方向に沿う軸回りに回転可能に支持され、前記後端から後方に向けて突出するとともに先端側に係止部が設けられた支持アームと、前記係止部を前後方向に位置変更可能に支持する支持手段と、を備え、前記支持手段は、前記傾斜天板よりも後方に配設されていることを特徴としている。
【０００７】
また、本発明に係る傾斜装置を備えたデスク装置は、上述した傾斜装置が支持構造体によって支持された平板状のデスク天板に載置された構成の傾斜装置を備え、前記支持手段は、前記デスク天板上において前記傾斜天板よりも後方に配設されていることを特徴としている。
【０００８】
本発明では、支持手段に係止される支持アームの係止部の位置を前後方向に変更することにより、傾斜天板を所望の傾斜角度の傾斜姿勢とすることができる。例えば、支持アームの係止部を支持手段の前後方向で最も後方の位置に係止させたときに傾斜天板が水平姿勢となり、最も前方の位置に係止させたときに傾斜天板が最も傾斜角度が大きく傾斜する姿勢にすることができる。
この場合には、支持アームが傾斜天板から後方に向かって突出し、支持手段が傾斜天板よりも後方位置に配設されているので、支持手段が傾斜天板の下方に配設される従来の場合より傾斜天板の作業面の高さを低く抑えることができる。つまり、傾斜装置を支持構造体によって支持された平板状のデスク天板に載置させる場合には、上述したように傾斜天板を執務者の所望する傾斜角度に調整可能とすると共に、作業面である傾斜天板の高さを執務しやすい高さに設けることができる。
【０００９】
しかも、上述したように支持構造体によって支持されるデスク天板上に傾斜装置を載置する場合には、従来のようにデスク天板と傾斜天板との間に支持手段が設けられる場合のように支持構造体を専用の構造にする必要がなく、傾斜装置の転用が可能なうえ、製造工数及び製造コストの増大を抑制することができる。
【００１０】
また、本発明に係る傾斜装置は、前記支持手段には、前記係止部を前後方向に案内する案内溝が設けられ、前記案内溝の前後方向に間隔をあけて配置され前記案内溝から凹む複数の係止凹部が形成され、前記支持アームの前記係止部が前記複数の係止凹部に選択的に係止されることにより、前記傾斜天板の傾斜姿勢が変更されることを特徴としてもよい。
【００１１】
この場合には、案内溝の前後方向に間隔をあけて形成される複数の係止凹部に対して支持アームの係止部が凹入されることで位置決めされ、選択的に係止させることができ、傾斜天板を複数の係止凹部に対応する傾斜角度に段階的に変更することができる。例えば、支持アームの係止部を前後方向で最も後方に位置する係止凹部に係止させたときに傾斜天板が水平姿勢となり、最も前方に位置する係止凹部に係止させたときに傾斜天板が最も傾斜角度が大きく傾斜する姿勢にすることができる。
このように、複数の係止凹部を設けることで、簡単な構造で傾斜天板の傾斜角度を所定の複数の角度に段階的に調整することができる。そして、支持アームの係止部が係止凹部に嵌った状態で強固に支持されるので、傾斜天板の傾斜姿勢を安定させた状態で維持することができる。
【００１２】
また、本発明に係る傾斜装置では、前記案内溝は、後方から前方に向かうに従い漸次、上側となるように段階的に又は滑らかに曲がっていることが好ましい。
【００１３】
この場合には、案内溝のうち前方側の係止凹部の位置が高くなっているので、前方側の係止凹部と所望の最大傾斜角度となるときの傾斜天板の後端との距離を小さくすることができる。すなわち、支持アームの長さを短くすることが可能となり、支持手段の案内溝の前後方向の長さを短く抑えることができる。そのため、支持手段の前後方向の長さ寸法も小さくすることができ、小型化することでコストの低減を図ることができる。
【００１４】
また、本発明に係る傾斜装置では、前記案内溝の上方には、少なくとも前記支持アームを覆う閉塞板が設けられていることを特徴としてもよい。
【００１５】
この場合には、少なくとも支持手段に係止される支持アームが閉塞板の下方に隠れて見えない状態となるので、意匠性に優れた傾斜装置を実現することができる。
【００１６】
また、本発明に係る傾斜装置では、前記支持アームは、前記支持手段に前記係止部を係止させた位置において、前記閉塞板に干渉しない形状であることが好ましい。
【００１７】
この場合には、支持手段に係止部を係止させた位置、或いは係止部を移動させる際に、支持アームが閉塞板に干渉することがない構造となる。
【００１８】
また、本発明に係る傾斜装置では、前記支持アームは、前記係止部が前記支持手段の後方に係止した状態で、下向きに突となるように屈曲又は湾曲していることが好ましい。
【００１９】
この場合には、案内溝のうち前方側に支持アームを支持させたときに支持アームの基端側となる傾斜天板の後端の位置が高くなることから、前方側の係止凹部と所望の最大傾斜角度となるときの傾斜天板の後端との距離を小さくすることができる。このとき、支持アームが移動するときの軌道は、直線状の支持アームに比べて高さが低い位置となるので、支持手段の上端位置を低く抑えることができ、設備のコンパクト化を図ることができる。そして、この場合も支持手段の案内溝の前後方向の長さを短く抑えることができるため、支持手段の前後方向の長さ寸法も小さくすることができ、小型化することでコストの低減を図ることができる。
【００２０】
また、本発明に係る傾斜装置では、前記傾斜天板の内部には、前記傾斜天板の作業面を照射するバックライトが設けられていることを特徴としてもよい。
【００２１】
この場合には、支持手段が傾斜天板の後方の位置に配設されているので、傾斜天板の内部にバックライトが設けられた状態においても、作業面である傾斜天板を薄く構成することが可能となり、傾斜天板の高さを執務しやすい高さに近づけることができる。
【発明の効果】
【００２２】
本発明の傾斜装置及び傾斜装置を備えたデスク装置によれば、傾斜天板の高さを小さく抑えることで、執務しやすい高さにすることが可能となる。
【図面の簡単な説明】
【００２３】
【図１】本発明の実施の形態によるデスク装置の全体構成の斜視図である。
【図２】図１に示すデスク装置を前方から見た正面図である。
【図３】デスク装置を上方から見た平面図である。
【図４】図２に示すＡ−Ａ線矢視図であって、デスク装置を左右方向の一方から見た側面図である。
【図５】図４に示すデスク装置のうち傾斜装置の構成を示す要部拡大図である。
【図６】傾斜装置の支持アームを上方から見た平面図である。
【図７】図６に示すＢ−Ｂ線矢視図であって、支持アームを左右方向の一方から見た側面図である。
【図８】傾斜装置の角度調整部を上方から見た平面図である。
【図９】図８に示すＣ−Ｃ線矢視図であって、角度調整部の支持板を左右方向の一方から見た側面図である。
【図１０】変形例による角度調整部の支持板の構成を示す側面図であって、図９に対応する図である。
【発明を実施するための形態】
【００２４】
以下、本発明の実施形態による傾斜装置及傾斜装置を備えたデスク装置について、図面に基づいて説明する。
【００２５】
図１乃至図４に示す本実施形態によるデスク装置１は、傾斜可能な製図用のトレース板を天板に備えたものである。デスク装置１は、平板状のデスク天板１０と、床面Ｆ上に互いに間隔をあけて配置され、デスク天板１０の左右方向Ｘ２に間隔をあけて設けられた支持脚板１３，１３を有する支持構造体１１と、デスク天板１０の後端側に設けられた上棚ユニット１２と、デスク天板１０上に載置された傾斜装置２と、を備えている。
【００２６】
ここで、本実施の形態では、床面Ｆに配置される一対の支持脚板１３，１３は上方から見た平面視で互いに離間して平行をなしており、この離間方向を左右方向Ｘ２といい、前記平面視で左右方向Ｘ２に直交する方向を前後方向Ｘ１という。前後方向Ｘ１において、デスク天板１０に向かって着座した人の手前側を前方、前側といい、その反対側を後方、後側という。
【００２７】
支持構造体１１は、上述した一対の支持脚板１３、１３と、各支持脚板１３の下部から前方に向けて延びるベース部材１４と、各支持脚板１３の上部から前方に向けて延びる上部支持体１５と、一対の支持脚板１３間の後側開口を塞ぐ後壁１６と、を備えている。
【００２８】
ベース部材１４は、床面Ｆ上に配置され、床面Ｆに平行で前後方向Ｘ１に延びている。支持脚板１３とベース部材１４は、それぞれの下面の高さが一致している。支持脚板１３の下面及びベース部材１４の下面には、それぞれ支持構造体１１の高さ及びレベルの調整を行うアジャスター１４Ａが設けられている。
支持脚板１３は、中空の板状部材からなり、その下壁の下方からアジャスター１４Ａのねじ部（図示省略）が螺合されている。ベース部材１４は、中空の筒状部材からなり、その下壁の下方からアジャスター１４Ａのねじ部（図示省略）が螺合されている。これらアジャスター１４Ａは、ねじ部が支持脚板１３及びベース部材１４の中空部に突出した状態で取り付けられている。
【００２９】
上部支持体１５は、前後方向Ｘ１に延びている。支持脚板１３と上部支持体１５は、それぞれの上面の高さが一致しており、これら両方でデスク天板１０を下方から支持している。
後壁１６は、支持脚板１３と上面の高さが一致しており、デスク天板１０を下方から支持している。
【００３０】
デスク天板１０は、平面視長方形で、支持脚板１３、上部支持体１５、及び後壁１６の下方から図示しないボルト等により固定されている。
デスク天板１０の下面側に位置する後壁１６には、デスク天板１０の左右方向Ｘ２全体にわたって延在する配線ダクト（図示省略）が取り付けられている。
【００３１】
上棚ユニット１２は、デスク天板１０上の後方側に設置され、左右一対の側板１２１、１２１と、側板１２１、１２１の上端同士を左右方向Ｘ２に連結する上板１２２と、一対の側板１２１、１２１間の背面を覆う背面板１２３と、上板１２２の下方に間隔をあけた上棚板１２４と、傾斜装置２の後述する角度調整部３０の上方を覆う閉塞板１２５と、閉塞板１２５の左右方向Ｘ２の一方（紙面右側）に配置されデスク天板１０のから上方に間隔をあけて設けられた下棚板１２６と、を備えている。
そして、上棚ユニット１２には、図３、図４及び図５に示すように、デスク天板１０上に立設され、傾斜天板２０から後方に間隔をあけた位置に左右方向に延在する後方支持壁１２７が設けられている。
【００３２】
閉塞板１２５は、後方支持壁１２７の上縁の回動中心１２７ａに対して回転可能に取り付けられている。閉塞板１２５は、後方支持壁１２７より前方に配置される後述する角度調整部３０や、傾斜装置２が水平姿勢Ｐ１に位置する際の支持アーム４０の上方を覆うように開閉可能となっている。
【００３３】
傾斜装置２は、図４及び図５に示すように、前端２０ａがデスク天板１０の前端１０ａ（ここでは後述する固定ベース５の前端部５ａ）に対して回動自在に支持され上面が作業面２０Ａとされる平板状の傾斜天板２０と、傾斜天板２０の後方に設けられた角度調整部３０（支持手段）と、一端が傾斜天板２０の後端２０ｂにこの後端２０ｂの延在方向に沿う軸回りに回転可能に支持され、他端が角度調整部３０に係止された支持アーム４０と、を備えている。
傾斜装置２は、傾斜天板２０における後側の高さを変えたときの傾斜角度を複数の大きさに調整可能とする構成となっている。
【００３４】
傾斜天板２０は、図１及び図３に示すように、内部が中空形状になっており、上方から見た平面視で、矩形状の開口部２０ｃが形成されており、この開口部２０ｃにガラス板２１が嵌め込まれている。傾斜天板２０は、図５に示すように、デスク天板１０上に固定される平板状の固定ベース５の前端部５ａに対して回動自在に設けられている。
【００３５】
具体的に固定ベース５は、デスク天板１０に対してビスやボルト等の不図示の固定手段によって固定され、前端上部にねじりバネ５１が設けられている。ねじりバネ５１は、一端５１ａが固定ベース５に固定され、他端５１ｂが傾斜天板２０の前端２０ａの下面側に固定されている。ねじりバネ５１は、傾斜天板２０が傾斜姿勢から水平姿勢Ｐ１に戻る方向に付勢している。つまり、傾斜天板２０は、傾斜姿勢の状態においてねじりバネ５１の付勢に抗した状態で支持アーム４０を介して角度調整部３０に所定の傾斜角度を保つように支持されている。
【００３６】
傾斜天板２０の後端２０ｂ側の内部には、図３に示すように、傾斜天板２０のガラス板２１を下方から照射するバックライト２２が設けられている。バックライト２２は、左右方向Ｘ２に延在するように配置されている。
【００３７】
支持アーム４０は、図６及び図７に示すように、傾斜天板２０から後方に向かって突出して設けられている。支持アーム４０は、左右方向Ｘ２に間隔をあけて設けられる一対のアーム本体４１と、両アーム本体４１の後端４１ｂ同士を連結して左右方向Ｘ２に延びる連結棒４２と、連結棒４２の両端のそれぞれに設けられたアーム係止部４３（係止部）と、を有している。
【００３８】
アーム本体４１の前端４１ａは、傾斜天板２０の後端２０ｂの延在方向（左右方向Ｘ２）を回転中心として回転自在に支持されている。アーム本体４１の前端４１ａには、左右方向Ｘ２に貫通する挿通孔４１ｃが形成されている。この挿通孔４１ｃに挿通されるピン４４が傾斜天板２０の不図示の係止孔にも挿通され、これによりアーム本体４１が傾斜天板２０に対して回動される。
【００３９】
アーム本体４１は、図５及び図７に示すように、傾斜天板２０が水平姿勢Ｐ１の位置で、下向きに突となるように略くの字状に屈曲している。
【００４０】
アーム係止部４３は、連結棒４２の端面から左右方向Ｘ２に突出して後述する角度調整部３０の案内溝３２を移動し、かつ係止凹部３３に係止する筒状の係止芯材４３Ａと、係止芯材４３Ａの突出端に取り付けられた脱落防止部材４３Ｂと、を有している。脱落防止部材４３Ｂは、係止芯材４３Ａよりも大径に形成され、係止芯材４３Ａが角度調整部３０から脱落することを防止している（図６及び図８参照）。
【００４１】
角度調整部３０は、図５及び図８に示すように、デスク天板１０上において、傾斜天板２０よりも後方に配設され、支持アーム４０の後端４１ｂ側のアーム係止部４３を前後方向Ｘ１に位置変更可能に支持する。角度調整部３０は、一対の支持板３１、３１からなる。支持板３１の後方部分は、左右方向Ｘ２に向けて折り曲げられ、折り曲げられた後板３１ａが上棚ユニット１２の後方支持壁１２７にビス等で固定されている。
【００４２】
一対の支持板３１は、それぞれ板面方向を左右方向Ｘ２に直交する方向に向けて配置され、板面の中央部分に図９に示すようにアーム係止部４３を前後方向Ｘ１に案内するとともに厚さ方向に貫通する案内溝３２が設けられている。
【００４３】
案内溝３２は、図９に示すように、後方から前方に向かうに従い漸次、上側となるように段階的に屈折した形状となっている。さらに具体的に案内溝３２は、前後方向Ｘ１の中央部分が下向きに突となる溝形状をなしている。そして、案内溝３２には、前後方向Ｘ１に間隔をあけて配置され案内溝３２から凹む複数（ここでは５箇所）の係止凹部３３（後方から順に３３Ａ、３３Ｂ、３３Ｃ、３３Ｄ、３３Ｅ）が形成されている。符号３３Ｂ〜３３Ｅの係止凹部は、案内溝３２から下方に凹んだ形状になっている。案内溝３２の最後端の位置に設けられる係止凹部３３Ａには、傾斜天板２０が水平姿勢Ｐ１（図５参照）となる位置でアーム係止部４３の係止芯材４３Ａが凹入される。
【００４４】
このような角度調整部３０では、図５及び図９に示すように、支持アーム４０は傾斜天板２０に支持されているので、傾斜天板２０を固定ベース５の前端部５ａに対して回動させることで、アーム係止部４３は案内溝３２に沿って前後方向Ｘ１に移動する構成となっている。アーム係止部４３の係止芯材４３Ａは、案内溝３２の左右方向Ｘ２の溝方向に沿って案内されるように構成されている。
そして、案内溝３２の途中に係止凹部３３Ａ〜３３Ｅが形成されているので、任意の係止凹部３３Ａ〜３３Ｅに案内溝３２に案内されているアーム係止部４３の係止芯材４３Ａを凹入させることで、傾斜天板２０を所定の傾斜角度で位置決めすることができる。つまり、後方側から前方となる係止凹部３３Ａ〜３３Ｅの順で、傾斜天板２０の傾斜姿勢は水平姿勢Ｐ１から符号Ｐ２〜Ｐ５（図５参照）に示す傾斜姿勢へと段階的に傾斜角度が大きくなる。そして、傾斜姿勢Ｐ２〜Ｐ５の傾斜天板２０を水平姿勢Ｐ１に戻す際には、係止芯材４３Ａを案内溝３２内を後方に向けて移動させて当接凹部３４に係止させる。
このように、アーム係止部４３が複数の係止凹部３３に選択的に係止されることにより、傾斜天板２０の傾斜姿勢を変更することができる。
【００４５】
また、案内溝３２の上方には、角度調整部３０に係止される支持アーム４０を覆うように上述した閉塞板１２５が設けられている。そして、支持アーム４０は、複数の係止凹部３３Ａ〜３３Ｅのすべての係止位置において、閉塞板１２５に干渉しない形状となっている。
【００４６】
次に、上述した傾斜装置２及び傾斜装置２を備えたデスク装置１の作用について、図面に基づいて詳細に説明する。
図５に示すように、本実施形態では、角度調整部３０の案内溝３２の前後方向Ｘ１に間隔をあけて形成される複数の係止凹部３３Ａ〜３３Ｅに対して支持アーム４０のアーム係止部４３が凹入されることで位置決めされ、選択的に係止させることができ、傾斜天板２０を複数の係止凹部３３Ａ〜３３Ｅに対応する傾斜角度に段階的に変更することができる。つまり、支持アーム４０のアーム係止部４３を角度調整部３０の支持板３１の前後方向Ｘ１で最も後方に位置する係止凹部３３Ａに係止させたときに傾斜天板２０が水平姿勢Ｐ１となり、最も前方に位置する係止凹部３３Ｅに係止させたときに傾斜天板２０が最も傾斜角度が大きく傾斜する姿勢（符号Ｐ５の傾斜姿勢）にすることができる。
【００４７】
この場合には、支持アーム４０が傾斜天板２０から後方に向かって突出し、角度調整部３０が傾斜天板２０よりも後方位置に配設されているので、従来のように角度調整部が傾斜天板２０の下方に配設される場合より傾斜天板２０の作業面２０Ａの高さを低く抑えることができる。つまり、傾斜装置２を支持構造体１１によって支持された平板状のデスク天板１０に載置させる場合には、上述したように傾斜天板２０を執務者の所望する傾斜角度に調整可能とすると共に、作業面２０Ａである傾斜天板２０の高さを執務しやすい高さに設けることができる。
【００４８】
しかも、上述したように支持構造体１１によって支持されるデスク天板１０上に傾斜装置２を載置する場合には、デスク天板１０と傾斜天板２０との間に角度調整部が設けられる従来の場合のように支持構造体を専用の構造にする必要がなく、傾斜装置２の転用が可能なうえ、製造工数及び製造コストの増大を抑制することができる。
【００４９】
また、本実施の形態では、複数の係止凹部３３を設けることで、簡単な構造で傾斜天板２０の傾斜角度を所定の複数の角度に段階的に調整することができる。そして、支持アーム４０のアーム係止部４３が係止凹部３３に嵌った状態で強固に支持されるので、傾斜天板２０の傾斜姿勢を安定させた状態で維持することができる。
【００５０】
また、本実施の形態による傾斜装置２では、案内溝３２のうち前方側の係止凹部３３Ｅの位置が高くなっているので、前方側の係止凹部３３Ｅと所望の最大傾斜角度となるときの傾斜天板２０の後端２０ｂとの距離を小さくすることができる。すなわち、支持アーム４０の突出長さを短くすることが可能となり、角度調整部３０の案内溝３２の前後方向Ｘ１の長さを短く抑えることができる。そのため、角度調整部３０の前後方向Ｘ１の長さ寸法も小さくすることができ、小型化することでコストの低減を図ることができる。
【００５１】
また、本実施の形態では、少なくとも角度調整部３０に係止される支持アーム４０が閉塞板１２５の下方に隠れて見えない状態となるので、意匠性に優れた傾斜装置２を実現することができる。
【００５２】
また、本実施の形態では、角度調整部３０にアーム係止部４３を係止させた位置、或いはアーム係止部４３を移動させる際に、支持アーム４０が閉塞板１２５に干渉することがない構造となる。
【００５３】
さらに、支持アーム４０のアーム本体４１は、傾斜天板２０が水平姿勢Ｐ１の位置で、下向きに突となるように略くの字状に屈曲している。そのため、支持アーム４０のアーム係止部４３が最も後方側の係止凹部３３Ａに係止するとき、支持アーム４０は閉塞板１２５の下方に位置する。そして、支持アーム４０は、アーム係止部４３を符号３３Ｂ、３３Ｃ、３３Ｄ、３３Ｅの順で係止凹部に係止させていくと、アーム係止部４３の屈曲部分より前方のアーム前方部４３ａが閉塞板１２５の前端部１２５ａをかわしながら前方へ移動して、傾斜天板２０の傾斜角度を大きくさせる。
【００５４】
また、支持アーム４０のアーム本体４１が略くの字状に屈曲しているので、案内溝３２のうち前方側に支持アーム４０を支持させたときに支持アーム４０の基端側となる傾斜天板２０の後端２０ｂの位置が高くなることから、前方側の係止凹部３３Ｅと所望の最大傾斜角度となるときの傾斜天板２０の後端２０ｂとの距離を小さくすることができる。このとき、支持アーム４０が移動するときの軌道は、直線状の支持アームに比べて高さが低い位置となるので、角度調整部３０における支持板３１の上端位置を低く抑えることができ、設備のコンパクト化を図ることができる。そして、この場合も案内溝３２の前後方向Ｘ１の長さを短く抑えることができるため、角度調整部３０の前後方向Ｘ１の長さ寸法も小さくすることができ、小型化することでコストの低減を図ることができる。
【００５５】
さらに、本実施の形態では、角度調整部３０が傾斜天板２０の後方の位置に配設されているので、傾斜天板２０の内部にバックライト２２が設けられた状態においても、作業面２０Ａである傾斜天板２０を薄く構成することが可能となり、傾斜天板２０の高さを執務しやすい高さに近づけることができる。
【００５６】
上述のように本実施の形態による傾斜装置２及び傾斜装置２を備えたデスク装置１では、傾斜天板２０の高さを小さく抑えることで、執務しやすい高さにすることが可能となる。
【００５７】
以上、本発明による傾斜装置及び傾斜装置を備えたデスク装置の実施の形態について説明したが、本発明は上記の実施の形態に限定されるものではなく、その趣旨を逸脱しない範囲で適宜変更可能である。
【００５８】
例えば、本実施の形態の傾斜装置２では、角度調整部３０の支持板３１に設けられる案内溝３２の形状が後方から前方に向かうに従い漸次、上側となるように段階的に屈折した形状となっているが、このような形状であることに限定されることはない。例えば、図１０に示す変形例による角度調整部３０Ａは、支持板３１に設けられる案内溝３２Ａの形状が前後方向Ｘ１に平行に延びる直線状をなすものであってもよい。この場合も、案内溝３２Ａには、前後方向Ｘ１に間隔をあけて配置され案内溝３２Ａから凹む複数（ここでは５箇所）の係止凹部３３（後方から順に３３Ａ、３３Ｂ、３３Ｃ、３３Ｄ、３３Ｅ）が形成されている。
【００５９】
また、支持手段の角度調整部として、本実施の形態のような案内溝３２や係止凹部３３に支持アーム４０のアーム係止部４３を係止させる構成であることに限定されることはなく、他の支持手段を採用することも可能である。要は、支持手段が傾斜天板２０よりも後方に配設され、支持手段によって傾斜天板２０の傾斜姿勢が変更される構成であればよいのである。
なお、上述した実施の形態では、案内溝３２が後方から前方に向かうに従い漸次、上側となるように段階的に屈曲した形状であるが、例えば滑らかに曲がっている形状の案内溝であってもよい。
【００６０】
さらに、本実施の形態では、案内溝３２の上方には、少なくとも支持アーム４０を覆う閉塞板１２５が設けられているが、閉塞板１２５は省略することも可能であるし、開閉可能な閉塞板１２５であることにも限定されることはない。
【００６１】
さらにまた、本実施の形態では、支持アーム４０のアーム本体４１が、アーム係止部４３が角度調整部３０の後方に係止した状態で下向きに突となるように略くの字状に屈曲した構成としているが、このように部分的に屈曲する形状に限定されることはなく、アーム本体４１の長さ方向（前後方向Ｘ１）の全体にわたって湾曲した形状であってもよい。
【００６２】
また、本実施の形態の傾斜天板２０の内部にバックライト２２を設けたり、作業面２０Ａにガラス板２１を設ける構成としているが、これらガラス板２１やバックライト２２を省略することも可能である。さらに、傾斜天板として、製図用のものに限定されることはない。
【００６３】
その他、本発明の趣旨を逸脱しない範囲で、上記した実施の形態における構成要素を周知の構成要素に置き換えることは適宜可能である。
【符号の説明】
【００６４】
１  デスク装置
２  傾斜装置
５  固定ベース
１０  デスク天板
１１  支持構造体
１２  上棚ユニット
２０  傾斜天板
２０ａ  前端
２０ｂ  後端
２０Ａ  作業面
２２  バックライト
３０  角度調整部（支持手段）
３１  支持板
３２  案内溝
３３、３３Ａ〜３３Ｅ  係止凹部
４０  支持アーム
４１  アーム本体
４３  アーム係止部（係止部）
４３Ａ  係止芯材
Ｘ１  前後方向
Ｘ２  左右方向
Ｐ１  水平姿勢
【図１】
2019080608.tif 000003
【図２】
2019080608.tif 000004
【図３】
2019080608.tif 000005
【図４】
2019080608.tif 000006
【図５】
2019080608.tif 000007
【図６】
2019080608.tif 000008
【図７】
2019080608.tif 000009
【図８】
2019080608.tif 000010
【図９】
2019080608.tif 000011
【図１０】
2019080608.tif 000012